(57)【要約】      （修正有）【課題】ソケットに取りつけたままの状態で、照射方向の角度調整を行なうことができる直管形のＬＥＤ照明器具を提供する。【解決手段】直管状のＬＥＤ光源部Ａの端部に設けた固定口金部材を円筒状に構成する。この固定口金部材の端面部に軸方向外側に向く第１の凹凸面６を設ける。ソケット側に保持した回動口金部材１０を固定口金部材の外端部に設け、この回動口金部材１０に前記した第１の凹凸面６に接合する第２の凹凸面１１を設ける。そして両凹凸面６、１１をバネ式の付勢手段によって弾接方向に付勢する。【選択図】図１
0003184892.tif 000002
【実用新案登録請求の範囲】
【請求項１】
直管形のＬＥＤ光源部と、このＬＥＤ光源部の端部に設けた固定口金部材と、この固定口金部材の外端部に設けた回動口金部材と、この回動口金部材から突出して設けた電極端子を備えた直管形のＬＥＤ照明器具において、
前記の固定口金部材を円筒状として、その端面に軸方向に向く第１の凹凸面を、回動口金部材の端面部に軸方向内側に向いて上記第１の凹凸面に接合する第２の凹凸面を設けると共に、これら固定口金部材と回動口金部材との間に、両凹凸面を弾接方向に付勢するバネ式の付勢手段を配設したことを特徴とする直管形のＬＥＤ照明器具。
【請求項２】
端子キャップを介して電極端子を回動口金部材に取付け固定すると共に、上記の端子キャップを固定口金部材の外周面に外套して設けたことを特徴とする請求項１の直管形のＬＥＤ照明器具。
【考案の詳細な説明】
【技術分野】
【０００１】
本考案は、取付け施工した状態において自由に照射角度を調整できるようにした直管形のＬＥＤ照明器具に関するものである。
【背景技術】
【０００２】
近年、ＬＥＤ光源を使用した直管形の照明器具が普及しており、広く一般家庭、オフィスさらには工場などで供用されている。またこのものにおいては、利便性を考慮して光源を軸回りにおいて回動調整（角度調整）できるようにしたものも提案されている。（特許文献１参照）
【０００３】
この従来の発明に係るＬＥＤ照明器具は、図４の模式図のように、直管状のＬＥＤ光源部１０１と、このＬＥＤ光源部１０１の端部に設けた固定口金部材１０２と、ＬＥＤ光源部１０１の長手方向を中心として回転する回動口金部材１０３と、回動口金部材１０３から突出する電極端子１０４を備えている。
【０００４】
さらに詳細には、一方の固定口金部材１０２には、その内周面にスプライン状の溝１０５を設け、他方の回動口金部材１０３には、溝１０５に対応する爪１０６を設けてある。そして、この溝１０５と爪１０６の嵌合位置を変えることによってＬＥＤ光源部１０１の軸回りの角度位置を設定したものである。
【０００５】
上記の構成において、ＬＥＤ光源部１０１の角度調整を行う場合には、同図のように、回動口金部材１０３を固定口金部材１０２から一旦引き外して、溝１０５と爪１０６との嵌合を解除し、次いでＬＥＤ光源部１０１を所望方向に回して、爪１０６に対する溝１０５の対応位置を変更する。そして、その位置において回動口金部材１０３を固定口金部材１０２に挿し込んでセットする。
【０００６】
以上のようにセットした照明器具は、その電極端子１０４によって既設のソケット（図示省略）に取りつけることができるものであり、これによってＬＥＤ光源部１０１の光照射角度を任意に調整することができる。
【先行技術文献】
【特許文献】
【０００７】
【特許文献１】特開２０１０−２４４８１０号
【考案の概要】
【考案が解決しようとする課題】
【０００８】
上記した従来の照明器具は、固定口金部材１０２に対する回動口金部材１０３の装脱操作を要する関係上、既設のソケットに取付け保持したままの状態で角度調整を行うことができなかった。従って、適切に配光されているかどうかを確認しながらの高所での作業には、多くの手間と時間を要し、作業危険も増すという問題点があった。
【０００９】
本考案は、上記した従来技術の問題点に着目してなされたものであり、ソケットに取付けたままで自在に角度調整を行うことができる直管形のＬＥＤ照明器具を提供しようとするものである。
【課題を解決するための手段】
【００１０】
上記の課題を解決するために、本考案に係る直管形のＬＥＤ照明器具は、直管形のＬＥＤ光源部と、このＬＥＤ光源部の端部に設けた固定口金部材と、この固定口金部材の外端部に設けた回動口金部材と、この回動口金部材から突出して設けた電極端子を備えた直管形のＬＥＤ照明器具において、前記の固定口金部材を円筒状として、その端面に軸方向に向く第１の凹凸面を、回動口金部材の端面部に軸方向内側に向いて上記第１の凹凸面に接合する第２の凹凸面を設けると共に、これら固定口金部材と回動口金部材との間に、両凹凸面を弾接方向に付勢するバネ式の付勢手段を配設したことを特徴としている。
【００１１】
また本考案に係る直管形のＬＥＤ照明器具は、上記において、端子キャップを介して電極端子を回動口金部材に取付け固定すると共に、上記の端子キャップを固定口金部材の外周面に外套して設けたことを第２の特徴としている。
【考案の効果】
【００１２】
上記のように構成した課題解決手段によれば、着脱操作を要せずに固定口金部材を回動口金部材に対して回動操作することができる。よって照明器具をソケットに取りつけた状態で配光調整を行うことができるという優れた効果を発揮する。
【００１３】
また配光状態を確認しながらの施工作業を簡単かつ迅速に行うことができることは勿論、高所作業での安全性を向上することができる。
【図面の簡単な説明】
【００１４】
【図１】本考案に係る直管形のＬＥＤ照明器具の一実施例を示す横断面図である。
【図２】同じく、縦断面図である。
【図３】回動口金部材と固定口金部材の構成を示す斜視図である。
【図４】従来のＬＥＤ照明器具を示す説明図である。
【考案を実施するための形態】
【００１５】
直管形のＬＥＤ照明器具の自在な角度調整を行うべく、その構成の簡単化を図る目的を最小の部品点数をもって合理的に実現した。
【実施例１】
【００１６】
図１および図２において、１は平面部に多数のＬＥＤ発光素子２を配設した実装基板  ３は実装基板１を取付け固定したホルダ  このホルダ３は、アルミ材の引抜き加工によって成型断面を持ち、図１の左右方向に長く伸びている。４はホルダ３を外套したポリカーポネート製の円筒カバーであり、以上の各部材によってＬＥＤ光源部Aを構成する。
【００１７】
５はＬＥＤ光源部Aすなわちホルダ３の端部に止めネジによって取付け固定した円筒状の固定口金部材  この固定口金部材５の一端は、前記の円筒カバー４内に嵌入され、他端は外方に突出している。６は固定口金部材５の外方突出端に設けた滑らかに起伏する第１の凹凸面（図３参照）  ７は固定口金部材５の内側に設けた補強リブ  ８は補強リブ７の中央部に設けたボス部である。
【００１８】
次に１０は前記の固定口金部材５の外端部に配設した回動口金部材  この回動口金部材１０の端面部には、第１の凹凸面６に接合する第２の凹凸面１１を設ける。上記の回動口金部材１０は、ほぼ円盤状に構成してあり、その外周直径は前記固定口金部材５と同径である。
【００１９】
２０は回動口金部材１０に取りつけ、かつその外周面と固定口金部材５の外周面を外套するように配設した有底状の端子キャップ  ２１は端子キャップ２０に設けた２本の電極端子である。この電極端子２１はリード線２２によって前記の実装基板１に接続しており、ＬＥＤ発光素子２に直流電力を供給する。
【００２０】
２３は一端の係止頭２４を縮設バネ２５を介して固定口金部材５のボス部８に、他端の係止頭２６を回動口金部材１０に連結した連結軸  これらの各部材は、第１の凹凸面６に対して第２の凹凸面１１を弾接するバネ式の付勢手段を構成する。
【００２１】
なお、前記した固定口金部材５は、ＬＥＤ光源部Ａすなわちホルダ３の両端部に配設するものであり、これに伴なって、回動口金部材１０、端子キャップ２０などの各部材は長手方向の両端に配設する。また上記の照明器具は、電極端子２１を介して図示省略のソケットに取付け保持されており、当該ソケットに内蔵したクッション手段によって軸方向の移動のみが許容される。
【００２２】
以上のように構成した直管形のＬＥＤ照明器具は、ＬＥＤ電源部Ａまたは固定口金部材５を手に持って回動操作することができる。すなわち、ＬＥＤ電源部Ａに軸回りの回転力が加わると、滑らかな第１の凹凸面６が回動口金部材１０の第２の凹凸面１１の弾接力に抗して回転する。
【００２３】
回動口金部材１０は、ソケットに係止して回転不可の状態に保持されているが、ソケット内のクッション手段によって外方へ移動することができる。よって固定口金部材５を含むＬＥＤ光源部Ａをバネ式の付勢手段Ｂに抗して回転操作することができるのである。
【００２４】
所望の回転角度が得られたとき、回転操作を止めると、バネ式の付勢手段Ｂによって、上記の第１の凹凸面６と第２の凹凸面１１が弾接され、回転方向の位置が規定される。よって、照明器具を取りつけたままの状態で配光調整を行うことができる。
【産業上の利用可能性】
【００２５】
なお上記の一実施例では、本考案のＬＥＤ照明器具を従来例の差込型ソケットに取りつけた場合において説明しているが、従来例の挟込型ソケットにおいても例外なく適用することができる。
【符号の説明】
【００２６】
１  実装基板
２  ＬＥＤ発光素子
３  ホルダ
４  円筒カバー
Ａ  ＬＥＤ光源部
５  固定口金部材
６  第１の凹凸面
８  ボス部
Ａ  ＬＥＤ光源部Ｂ
１０  回動口金部材
１１  第２の凹凸面
２０  端子キャップ
２１  電極端子
２２  リード線
２３  連結軸
２５  縮設バネ
【図１】
0003184892.tif 000003
【図２】
0003184892.tif 000004
【図３】
0003184892.tif 000005
【図４】
0003184892.tif 000006